(57)【要約】      （修正有）【課題】手で触れることによる試料表面の劣化を防止するとともに、試料が使用時に破損してしまうことを防止する蛍光Ｘ線分析用一体化試料を提供する。【解決手段】蛍光Ｘ線分析用一体化試料であって、蛍光Ｘ線分析の試料として用いられ、測定面を有する板状の試料１００と、試料の測定面の裏面と接着された保持面を有する試料保持具１０４と、を有し、試料保持具は、保持面を有する平板部１０６と、保持面の裏面に平板部と一体化されたつまみ部１０８と、を有する。【選択図】図１
0003210530.tif 000002
【実用新案登録請求の範囲】
【請求項１】
蛍光Ｘ線分析の試料として用いられ、測定面を有する板状の試料と、
前記試料の前記測定面の裏面と接着された保持面を有する試料保持具と、を有し、
前記試料保持具は、前記保持面を有する平板部と、前記保持面の裏面に前記平板部と一体化されたつまみ部と、を有することを特徴とする蛍光Ｘ線分析用一体化試料。
【請求項２】
前記平板部は円板状であり、前記つまみ部は円筒状であることを特徴とする請求項１に記載の蛍光Ｘ線分析用一体化試料。
【請求項３】
前記つまみ部と前記平板部の直径の差が１０ｍｍ以上であり、前記つまみ部の高さが３ｍｍ乃至６０ｍｍであることを特徴とする請求項２に記載の蛍光Ｘ線分析用一体化試料。
【請求項４】
前記試料保持具と前記試料は、両面テープまたはエポキシ系接着剤で接着されることを特徴とする請求項１乃至３のいすれかに記載の蛍光Ｘ線分析用一体化試料。
【請求項５】
蛍光Ｘ線分析の試料として用いられる試料の測定面の裏面と接着される保持面を有する平板部と、
前記保持面の裏面に前記平板部と一体化されたつまみ部と、
を有することを特徴とする試料保持具。
【考案の詳細な説明】
【技術分野】
【０００１】
本考案は、蛍光Ｘ線分析用一体化試料及び試料保持具に関する。
【背景技術】
【０００２】
測定対象である試料に含まれる元素を調査する方法として、蛍光Ｘ線分析法が知られている。蛍光Ｘ線分析法で測定する試料は分析の対象となる未知試料のほか、他の分析法等で値付けられた標準値を持ち、その標準値と蛍光Ｘ線分析装置で実測されるＸ線強度を関係づける検量線の定数を決定するために測定する標準試料や、信頼性の高い分析を行うために、定期的に蛍光Ｘ線分析装置を較正するために測定する較正試料がある。蛍光Ｘ線分析装置を較正する際、経時変化が少ない較正試料が使用される。例えば、ガラスビード法によって作製されたガラスビードやソーダガラス、ホウケイ酸ガラスなどで形成されたガラス試料が知られている。
【０００３】
試料は、試料収納具が備える受け台に設置されるまで、測定者によって直接手で取り扱われるとすると分析面が汚染されてしまうおそれがある。具体的には、例えば、試料が潮解性のある材料の場合、試料は測定者の指の汗により変質してしまうおそれがある。
【０００４】
そこで、下記特許文献１は、ガラス試料と試料保持具を一体化することで、測定者がガラス試料に直接手で触れる必要がない蛍光Ｘ線分析用一体化ガラス試料を開示している。
【先行技術文献】
【特許文献】
【０００５】
【特許文献１】登録実用新案第３２００１１６号公報
【考案の概要】
【考案が解決しようとする課題】
【０００６】
蛍光Ｘ線分析装置の試料を固定するホルダには、円板状の試料が入れられるカップ型の試料ホルダがある。カップ型の試料ホルダに円板状の試料を載置する場合は、測定者は、片方の手で試料ホルダを逆さに持ち、もう一方の手で試料を支え下から上に挿入し、ゆるやかにひっくり返して入れる必要があった。
【０００７】
特許文献１に記載された一体化ガラス試料であっても、試料がひっくり返される際に、衝撃によって試料の一部が破損してしまうおそれがある。また、試料の測定面に触れないように作業する場合、測定者は慎重に作業しなければならないことから、作業に時間を要するという課題があった。
【０００８】
本考案は上記課題に鑑みてなされたものであって、その目的は、試料に直接触れること無く、ホルダ内に載置できる形状にすることで、試料の表面の劣化を防止することである。また、試料を片手で容易にホルダ内に載置できるようにすることで、試料が使用時に破損してしまうことを防止することである。
【課題を解決するための手段】
【０００９】
請求項１に記載の蛍光Ｘ線分析用一体化試料は、蛍光Ｘ線分析の試料として用いられ、測定面を有する板状の試料と、前記試料の前記測定面の裏面と接着された保持面を有する試料保持具と、を有し、前記試料保持具は、前記保持面を有する平板部と、前記保持面の裏面に前記平板部と一体化されたつまみ部と、を有することを特徴とする。
【００１０】
請求項２に記載の蛍光Ｘ線分析用一体化試料は、前記平板部は円板状であり、前記つまみ部は円筒状であることを特徴とする。
【００１１】
請求項３に記載の蛍光Ｘ線分析用一体化試料は、前記つまみ部と前記平板部の直径の差が１０ｍｍ以上であり、前記つまみ部の高さが３ｍｍ乃至６０ｍｍであることを特徴とする。
【００１２】
請求項４に記載の蛍光Ｘ線分析用一体化試料は、前記試料保持具と前記試料は、両面テープまたはエポキシ系接着剤で接着されることを特徴とする。
【００１３】
請求項５に記載の試料保持具は、蛍光Ｘ線分析の試料として用いられる試料の測定面の裏面と接着される保持面を有する平板部と、前記保持面の裏面に前記平板部と一体化されたつまみ部と、を有することを特徴とする。
【考案の効果】
【００１４】
請求項１乃至５に記載の考案によれば、試料の表面の劣化を防止するとともに、試料が使用時に破損してしまうことを防止することができる。定期的に繰返して測定を行う較正試料に対して特に有効であるが、未知試料や標準試料に対しても必要に応じて適用することができる。
【図面の簡単な説明】
【００１５】
【図１】本考案の実施形態に係る蛍光Ｘ線分析用一体化試料を概略的に示す図である。
【図２】蛍光Ｘ線分析用一体化試料を試料ホルダ内に載置した状態を示す図である。
【図３】蛍光Ｘ線分析用一体化試料を試料収納具に載置した状態を示す図である。
【考案を実施するための形態】
【００１６】
以下、本考案を実施するための好適な実施の形態（以下、実施形態という）を、図面に従って説明する。
【００１７】
図１(a)及び図１(b)は、本考案の実施形態に係る蛍光Ｘ線分析用一体化試料の概略を示す図である。図１(a)は、蛍光Ｘ線分析用一体化試料を側面から見た図であり、図１(b)は、蛍光Ｘ線分析用一体化試料を上から見た図である。図１(a)に示すように、蛍光Ｘ線分析用一体化試料は、試料１００と、接着剤１０２と、試料保持具１０４と、を含んで構成されている。
【００１８】
試料１００は、ガラス試料のほか、金属、焼結品、加圧成形品等の試料であってもよい。
【００１９】
また、試料１００は、板状であって、測定面を有する。具体的には、図１(a)に示すように、試料１００は円板状であって、下側に平らな測定面を有する。なお、試料１００の平面形状は、後述する試料ホルダ２００と干渉しない形状であれば、円形であってもよいし、矩形等であってもよい。
【００２０】
試料１００は、試料保持具１０４と接着される。具体的には、試料１００の測定面の裏面は、試料保持具１０４の保持面と、両面テープまたはエポキシ系接着剤で接着される。
【００２１】
試料保持具１０４は、保持面を有する平板部１０６と、保持面の裏面に平板部１０６と一体化されたつまみ部１０８と、を有する。具体的には、平板部１０６は、円板状であって、下側に試料１００の測定面の裏面と接着される保持面を有する。つまみ部１０８は、円筒状であって、保持面の裏面の略中央で平板部１０６と一体化されている。
【００２２】
つまみ部１０８は、３ｍｍ乃至６０ｍｍの高さで形成されることが望ましい。平板部１０６は、後述する試料ホルダ２００に入る大きさで、試料ホルダ２００の内径と同じ直径から０．５ｍｍ程度小さい直径の範囲で形成されることが望ましい。また、蛍光Ｘ線分析用一体化試料が試料ホルダ２００に載置された状態で、つまみ部１０８を測定者がつまみやすいように、つまみ部１０８と平板部１０６の直径は１０ｍｍ以上の差があることが望ましい。
【００２３】
なお、つまみ部１０８は、測定者が手で持つ領域である。そのため、つまみ部１０８の形状は、測定者が指先で容易に扱うことができる形状であれば、円筒状以外の形状であってもよい。また、平板部１０６は、試料ホルダ２００が円筒状の場合には円板状に形成されるが、試料ホルダ２００が他の形状である場合には、試料ホルダ２００の形状に合わせた形状で形成される。
【００２４】
試料保持具１０４は、測定者が扱いやすい重量の材料で形成される。具体的には、例えば、試料保持具１０４は、アルミニウム合金、ポリエチレン等のポリオレフィン、またはポリテトラフルオロエチレン等のフッ素系樹脂を用いて形成される。
【００２５】
以上のように、試料１００と一体化される試料保持具１０４がつまみ部１０８を有することにより、測定者が試料１００に直接手で触れずに容易に扱うことが可能となる。これにより、測定者の手が試料１００に触れることによる試料１００を変質や、試料ホルダ２００と試料１００が接触することにより試料１００に破損が生じることを防止できる。
【００２６】
続いて、試料ホルダ２００について説明する。図２は、試料ホルダ２００に載置された蛍光Ｘ線分析用一体化試料の断面を示す図である。試料ホルダ２００は、内部に蛍光Ｘ線分析用一体化試料が載置される。また、試料ホルダ２００は、内部に蛍光Ｘ線分析用一体化試料が載置された状態で、蛍光Ｘ線分析装置の内部に載置されるホルダである。
【００２７】
試料ホルダ２００は、円筒状の形状であって、底面に開口部２０２を有する。具体的には、図２に示すように、試料ホルダ２００は、底面に蛍光Ｘ線分析用一体化試料の測定面を露出させる開口部２０２を有する。開口部２０２は、試料ホルダ２００の中心に円形状に形成される。蛍光Ｘ線分析装置は、開口部２０２を介して蛍光Ｘ線分析用一体化試料に１次Ｘ線を照射することにより測定を行う。
【００２８】
試料ホルダ２００は、外側側面に段差２０４を有する。具体的には、試料ホルダ２００は、外側側面の底面から６ｍｍの領域の外径が、他の領域よりの外径よりも小さいことによって、段差２０４を有するように形成される。試料ホルダ２００は、蛍光Ｘ線分析装置に当該段差２０４がひっかかるように載置される。これにより、測定中に試料ホルダ２００が移動したり、傾いてしまうことを防止する。
【００２９】
試料ホルダ２００は、上部に、上側に向かって内径が徐々に大きくなる領域２０６を有する。具体的には、試料ホルダ２００は、下部に内径が一定の領域を有し、上部に上側に向かって内径が徐々に大きくなる領域２０６を有する。
【００３０】
測定者は、試料ホルダ２００の上側から蛍光Ｘ線分析用一体化試料を挿入する。試料ホルダ２００上部の内径を大きくすることによって、測定者が蛍光Ｘ線分析用一体化試料を試料ホルダ２００に載置する作業が容易になる。一方、試料ホルダ２００下部の内径を、試料保持具１０４の平板部１０６の外径と同じまたは０．５ｍｍ程度大きくすることで、測定中に試料ホルダ２００内部で蛍光Ｘ線分析用一体化試料がずれてしまうことを防止できる。
【００３１】
続いて、蛍光Ｘ線分析用一体化試料を収容する試料収納具３００について説明する。試料収納具３００は、蛍光Ｘ線分析用一体化試料を測定に用いない場合に、蛍光Ｘ線分析用一体化試料を収容する容器である。図３は、蛍光Ｘ線分析用一体化試料を試料収納具３００に収容した状態の断面を示す図である。なお、図３には収容する領域を１つしか記載していないが、試料収納具３００は、当該領域を複数有する。
【００３２】
試料収納具３００は、試料１００または試料保持具１０４の形状に応じた第１の凹部３０２と、第２の凹部３０４と、を有する。具体的には、例えば、第１の凹部３０２は、試料１００の厚みと同程度の深さで、試料収納具３００の表面に形成される。試料１００が円板状である場合には、第１の凹部３０２は、試料１００の厚さと同じ深さで、試料１００と同じ円板状に形成される。
【００３３】
第２の凹部３０４は、第１の凹部３０２の底面に形成される。具体的には、第２の凹部３０４は、第１の凹部３０２の底面の中央部に、試料ホルダ２００の開口部２０２と同じ形状で形成される。凹部３０４は、試料収納具３００を貫通していてもよい。
【００３４】
測定者は、測定が終了した後、試料ホルダ２００に載置された蛍光Ｘ線分析用一体化試料のつまみ部１０８を持ち、試料収納具３００の第１の凹部３０２に移動させることで、蛍光Ｘ線分析用一体化試料を容易に収容することができる。また、蛍光Ｘ線分析用一体化試料は、第１の凹部３０２と第２の凹部３０４の段差２０４部で支えられるため、測定面が試料収納具３００と接しない状態で収容される。従って、試料面の汚染や、試料を収容する際に測定面に傷等の損傷が生じることを防止できる。
【符号の説明】
【００３５】
１００  試料、１０２  接着剤、１０４  試料保持具、１０６  平板部、１０８  つまみ部、２００  試料ホルダ、２０２  開口部、２０４  段差、２０６  内径が大きい領域、３００  試料収納具、３０２  第１の凹部、３０４  第２の凹部。
【図１】
0003210530.tif 000003
【図２】
0003210530.tif 000004
【図３】
0003210530.tif 000005